(57)【要約】【課題】磁気記録媒体を送り出しつつ磁気ヘッドが磁気ストライプに対する情報のリード、ライトを行う場合に、磁気記録媒体の搬送に速度変化が生じるのを防止し、磁気記録に不備が発生するのを防止する。【解決手段】磁気ヘッド６の配置位置に第２の搬送ローラ７を配置する。第２の搬送ローラの駆動ローラ７ａとピンチローラ７ｂとで狭持されて通帳８は搬送される。そして、通帳に設けられた磁気ストライプ８ａに対して磁気ヘッドが接触して情報のリード、ライトを行う。第２の搬送ローラによって送り出された通帳の先端部は次段の第１の搬送ローラ３における駆動ローラ３ａとピンチローラ３ｂとの間に挿入される。このとき通帳は第２の搬送ローラによって強く送り出されるのでその先端部は駆動ローラ３ａとピンチローラ３ｂとでスムーズに狭持されるようになり、通帳の搬送速度に変化が生じる虞はない。【選択図】  図２
2005050405.tif 000002
【特許請求の範囲】
【請求項１】
１対のローラを対向配置した第１の搬送ローラを磁気記録媒体の搬送路に所定の間隔で複数設け、この搬送路の途中に前記磁気記録媒体に形成された磁気ストライプに対する情報のリード、ライトを、前記磁気記録媒体を搬送しながら行う磁気ヘッドを配置した磁気記録媒体搬送装置において、
前記磁気ヘッドの配置位置に一方を駆動ローラとした１対のローラを対向配置した第２の搬送ローラを設け、この第２の搬送ローラで前記磁気記録媒体を送り出しつつ前記磁気ヘッドが磁気ストライプに対する情報のリード、ライトを行うことを特徴とする磁気記録媒体搬送装置。
【請求項２】
１対のローラを対向配置した第１の搬送ローラを磁気記録媒体の搬送路に所定の間隔で複数設け、この搬送路の途中に前記磁気記録媒体に形成された磁気ストライプに対する情報のリード、ライトを、前記磁気記録媒体を搬送しながら行う磁気ヘッドを配置した磁気記録媒体搬送装置において、
前記磁気ヘッドの配置位置に両方を駆動ローラとした１対のローラを対向配置した第２の搬送ローラを設け、この第２の搬送ローラで前記磁気記録媒体を送り出しつつ前記磁気ヘッドが磁気ストライプに対する情報のリード、ライトを行うことを特徴とする磁気記録媒体搬送装置。
【請求項３】
１対のローラを対向配置した第１の搬送ローラを磁気記録媒体の搬送路に所定の間隔で複数設け、この搬送路の途中に前記磁気記録媒体に形成された磁気ストライプに対する情報のリード、ライトを、前記磁気記録媒体を搬送しながら行う磁気ヘッドを配置した磁気記録媒体搬送装置において、
前記磁気ヘッドの配置位置に１対のローラを対向配置した第２の搬送ローラを設け、この第２の搬送ローラで前記磁気記録媒体を送り出しつつ前記磁気ヘッドが磁気ストライプに対する情報のリード、ライトを行うとともに、この情報のリード、ライトを行っている最中に前記磁気記録媒体が挿入される第１の搬送ローラのピンチ圧を前記第２の搬送ローラのピンチ圧よりも弱く設定したことを特徴とする磁気記録媒体搬送装置。
【請求項４】
１対のローラを対向配置した第１の搬送ローラを磁気記録媒体の搬送路に所定の間隔で複数設け、この搬送路の途中に前記磁気記録媒体に形成された磁気ストライプに対する情報のリード、ライトを、前記磁気記録媒体を搬送しながら行う磁気ヘッドを配置した磁気記録媒体搬送装置において、
前記磁気ヘッドの配置位置に１対のローラを対向配置した第２の搬送ローラを設け、この第２の搬送ローラで前記磁気記録媒体を送り出しつつ前記磁気ヘッドが磁気ストライプに対する情報のリード、ライトを行うとともに、この情報のリード、ライトを行っている最中に前記磁気記録媒体が挿入される第１の搬送ローラのローラ材質を前記第２の搬送ローラのローラ材質に比べて柔らかい材質を使用したことを特徴とする磁気記録媒体搬送装置。
【発明の詳細な説明】
【０００１】
【発明の属する技術分野】
本発明は、磁気ストライプを設けた磁気記録媒体を搬送し、磁気ストライプに対して磁気ヘッドを使用してリード、ライトを行う磁気記録媒体搬送装置に関する。
【０００２】
【従来の技術】
この種の磁気記録媒体搬送装置においては、磁気ストライプを設けた磁気記録媒体を、駆動ローラを使用した搬送ローラで搬送し、途中に磁気ヘッドを固定配置するとともに対向して駆動ローラを配置し、この駆動ローラと磁気ヘッドとで搬送される磁気記録媒体を狭持するようにして磁気ストライプに磁気ヘッドを押し当てリード、ライトを行うものが知られている（例えば、特許文献１参照）。
【０００３】
【特許文献１】
特開平８−１４７８６９号公報
【０００４】
【発明が解決しようとする課題】
しかしながら、駆動ローラと磁気ヘッドとで搬送される磁気記録媒体を狭持し、駆動ローラの回転によって磁気記録媒体を送り出すものでは、磁気記録媒体の先端部が次の１対のローラからなる搬送ローラに挿入される時に、この媒体が比較的厚みを持っている場合には先端部が搬送ローラに当接して搬送速度が変化し、この結果磁気記録にジッタと呼ばれる記録不備が発生する問題があった。
【０００５】
そこで、本発明は、磁気記録媒体を送り出しつつ磁気ヘッドが磁気ストライプに対する情報のリード、ライトを行う場合に、搬送ローラによって磁気記録媒体の搬送に速度変化が生じるのを防止でき、これにより、磁気記録にジッタと呼ばれる記録不備が発生するのを防止できる磁気記録媒体搬送装置を提供する。
【０００６】
【課題を解決するための手段】
本発明は、１対のローラを対向配置した第１の搬送ローラを磁気記録媒体の搬送路に所定の間隔で複数設け、この搬送路の途中に磁気記録媒体に形成された磁気ストライプに対する情報のリード、ライトを、磁気記録媒体を搬送しながら行う磁気ヘッドを配置した磁気記録媒体搬送装置において、磁気ヘッドの配置位置に一方を駆動ローラとした１対のローラを対向配置した第２の搬送ローラを設け、この第２の搬送ローラで磁気記録媒体を送り出しつつ磁気ヘッドが磁気ストライプに対する情報のリード、ライトを行うことにある。
【０００７】
【発明の実施の形態】
以下、本発明の一実施の形態を、図面を参照して説明する。
図１に示すように、搬送路１に１対のローラを対向配置した第１の搬送ローラ２，３，４，５を所定の間隔を開けて配置し、搬送ローラ２と３の間における搬送路１の下方に磁気ヘッド６を配置している。
【０００８】
前記各搬送ローラ２〜５は、駆動ローラ２ａ，３ａ，４ａ，５ａとピンチローラ２ｂ，３ｂ，４ｂ，５ｂを対向配置したもので、搬送路１の上方に駆動ローラ２ａ，３ａ，４ａ，５ａを配置し、搬送路１の下方にピンチローラ２ｂ，３ｂ，４ｂ，５ｂを配置し、かつ、ピンチローラ２ｂ，３ｂ，４ｂ，５ｂを弾性部材２ｃ，３ｃ，４ｃ，５ｃによって前記駆動ローラ２ａ，３ａ，４ａ，５ａに押圧させている。
【０００９】
前記磁気ヘッド６の配置位置に第２の搬送ローラ７を配置している。この搬送ローラ７は、駆動ローラ７ａとピンチローラ７ｂを対向配置したもので、搬送路１の上方に駆動ローラ７ａを配置し、搬送路１の下方にピンチローラ７ｂを配置し、かつ、ピンチローラ７ｂを弾性部材７ｃによって前記駆動ローラ７ａに押圧させている。
【００１０】
前記各搬送ローラ２〜５，７の駆動ローラ２ａ〜５ａ，７ａ及びピンチローラ２ｂ〜５ｂ，７ｂは、回転軸に所定幅のローラを複数個、所定の間隔で取付けたもので、駆動ローラとピンチローラで狭持するようにして磁気記録媒体、例えば、通帳８を搬送するようになっている。
【００１１】
前記通帳８は、図４の（ａ）及び（ｂ）に示すように裏表紙の面に磁気ストライプ８ａを設け、見開きのページにデータ印字欄８ｂを設けたもので、この磁気記録媒体搬送装置においては、開いた状態で、表紙及び裏表紙の面を下に、データ印字欄８ｂを上にして搬送されるようになっている。
【００１２】
図２及び図３に示すように、前記磁気ヘッド６は、通帳８の搬送方向に対しては位置が固定され、第２の搬送ローラ７の駆動ローラ７ａとピンチローラ７ｂに狭持されて搬送される前記通帳８の磁気ストライプ９に下方から接触して情報のリード、ライトを行うようになっている。
【００１３】
前記通帳８は第１の搬送ローラ２の駆動ローラ２ａとピンチローラ２ｂとで狭持されて第２の搬送ローラ７に送り込まれ、この第２の搬送ローラ７の駆動ローラ７ａとピンチローラ７ｂとで狭持されて搬送される。そして、この搬送中において磁気ヘッド６で磁気ストライプ８ａに対するリード、ライトが行われる。
【００１４】
また、第２の搬送ローラ７によって搬送される通帳８は次段の第１の搬送ローラ３に送り込まれる。そして、通帳８の先端部が駆動ローラ３ａとピンチローラ３ｂとの間に挿入されるようになる。
【００１５】
このとき、通帳８は駆動ローラ７ａとピンチローラ７ｂとで狭持されて送り出されるので、通帳８の先端部は駆動ローラ３ａとピンチローラ３ｂとの間に強く挿入され、駆動ローラ３ａとピンチローラ３ｂとでスムーズに狭持されるようになる。すなわち、通帳８の先端部が駆動ローラ３ａとピンチローラ３ｂの圧接部に当接して通帳の搬送に一時的にブレーキが掛かって通帳８の搬送速度が変化するということは発生しない。従って、磁気記録時にジッタと呼ばれる記録不備が生じる虞はない。
【００１６】
このように、通帳を駆動ローラと磁気ヘッドで狭持して搬送するのでなく、駆動ローラ７ａとピンチローラ７ｂとで狭持して搬送する構成になっているので、大きな狭持力が得られ、このため通帳８を次段の駆動ローラ３ａとピンチローラ３ｂの圧接部に送り込む力も大きくなり、通帳８が第２の搬送ローラ７から第１の搬送ローラ３へ速度変化を伴うこと無くスムーズに搬送される。これにより、磁気ヘッド６による磁気ストライプ８ａへのリード、ライトが常に一定の速度で行われ、記録不備が発生する虞はない。
【００１７】
なお、この実施の形態では、第２の搬送ローラ７として駆動ローラ７ａとピンチローラ７ｂとで構成したものについて述べたがこれに限定するものではない。
例えば、ピンチローラ７ｂを駆動ローラとし、第２の搬送ローラを１対の駆動ローラで構成してもよい。このようにすれば、第２の搬送ローラから、通帳８を次段の駆動ローラ３ａとピンチローラ３ｂの圧接部に送り込む力をさらに大きくすることができ、通帳を次段の搬送ローラ３によりスムーズに送り込むことができる。従って、この場合も磁気ヘッド６による磁気ストライプ８ａへのリード、ライトが常に一定の速度で行われるようになる。
【００１８】
また、次段の搬送ローラ３における駆動ローラ３ａとピンチローラ３ｂとのピンチ圧を第２の搬送ローラ７の駆動ローラ７ａとピンチローラ７ｂとのピンチ圧よりも弱く設定することでも対処できる。すなわち、第２の搬送ローラ７の弾性部材７ｃに比べて第１の搬送ローラ３における弾性部材３ｃの弾性力を弱くする。
【００１９】
なお、この場合において、第２の搬送ローラ７で狭持されて送り出される通帳８の先端部が次段の搬送ローラ３を通過して更に次々段の搬送ローラ４の圧接部に当接するような場合には搬送ローラ４の弾性部材４ｃの弾性力も第２の搬送ローラ７の弾性部材７ｃに比べて弱くする必要が有る。
【００２０】
これにより、第２の搬送ローラ７で送り込まれた通帳８の先端部が駆動ローラ３ａとピンチローラ３ｂの圧接部に当接したときに、ピンチローラ３ｂはスムーズに下方に開き通帳８の先端部は駆動ローラ３ａとピンチローラ３ｂの圧接部にスムーズに送り込まれるようになる。従って、この場合も磁気ヘッド６による磁気ストライプ８ａへのリード、ライトが常に一定の速度で行われるようになる。
【００２１】
また、次段の搬送ローラ３のローラ材質を第２の搬送ローラ７のローラ材質に比べて柔らかい材質を使用することで対処することもできる。すなわち、ローラ材質としては、通常は、例えば、ウレタンゴムやＥＰＤＭ等のゴム材質のものが使用され、その硬度としては８０度くらいのものが使用される。従って、第２の搬送ローラ７に使用するローラは硬度８０度くらいのゴム材質としているが、次段の第１の搬送ローラ３に使用するローラは硬度４０度くらいのゴム材質としている。
【００２２】
なお、この場合において、第２の搬送ローラ７で狭持されて送り出される通帳８の先端部が次段の搬送ローラ３を通過して更に次々段の搬送ローラ４の圧接部に当接するような場合には搬送ローラ４のローラのゴム材質も硬度４０度くらいにする。
【００２３】
これにより、第２の搬送ローラ７で送り込まれた通帳８の先端部が駆動ローラ３ａとピンチローラ３ｂの圧接部に当接したときに、その先端部は圧接部にスムーズに送り込まれるようになる。従って、この場合も磁気ヘッド６による磁気ストライプ８ａへのリード、ライトが常に一定の速度で行われるようになる。
【００２４】
なお、この実施の形態は、磁気記録媒体として磁気ストライプを設けた通帳を使用したものについて述べたがこれに限定するものではなく、その他の冊子状のものであっても、またシート状のものであってもよい。シート状のものでは特に厚みのあるものに対して有効である。
【００２５】
【発明の効果】
以上詳述したように、本発明によれば、磁気記録媒体を送り出しつつ磁気ヘッドが磁気ストライプに対する情報のリード、ライトを行う場合に、搬送ローラによって磁気記録媒体の搬送に速度変化が生じるのを防止でき、これにより、磁気記録にジッタと呼ばれる記録不備が発生するのを防止できる磁気記録媒体搬送装置を提供できる。
【図面の簡単な説明】
【図１】本発明の一実施の形態を示す概略構成図。
【図２】同実施の形態における磁気ヘッドを配置した部位の部分斜視図。
【図３】同実施の形態における磁気ヘッドを配置した部位を前面から見た図。
【図４】同実施の形態において搬送される通帳の構成を示す図。
【符号の説明】
２，３，４，５…第１の搬送ローラ、６…磁気ヘッド、７…第２の搬送ローラ、８…通帳（磁気記録媒体）。
【図１】
2005050405.tif 000003
【図２】
2005050405.tif 000004
【図３】
2005050405.tif 000005
【図４】
2005050405.tif 000006